(57)【特許請求の範囲】
【請求項１】
通信網に接続される基地局と、前記基地局の無線ゾーン内に配置され、該基地局と１対多の無線通信を行なう複数の加入者無線局から成る無線アクセスシステムにおいて、
前記加入者無線局は、
前記基地局との通信に必要な各種通信パラメータデータをサーチ・照合ルーチンを経て順次取得して初期設定する初期設定手段と、
前記初期設定されたデータを格納する格納手段と、
電源投入後、前記格納手段に格納されている前回初期設定データを参照して今回の通信に適用可能か否かを各種通信パラメータ毎に判断し、適用可能な通信パラメータは、当該前回初期設定データをそのまま設定し、適用可能でない通信パラメータは、前記初期設定手段を起動し、前記サーチ・照合ルーチンにより取得されたデータを初期設定する初期設定制御手段と
を具備することを特徴とする無線アクセスシステム。
【請求項２】
前記加入者無線局は、屋内に設置される屋内装置と屋外に設置される屋外装置とから構成され、
前記初期設定手段、前記格納手段及び前記初期設定制御手段は、前記屋内装置に設けられる
ことを特徴とする請求項１記載の無線アクセスシステム。
【発明の詳細な説明】
【技術分野】
【０００１】
本発明は、通信網に接続される基地局と、該基地局の無線ゾーン内に配置され、当該基地局と１対多の無線通信を行なう複数の加入者無線局から成る無線アクセスシステムに係わり、詳しくは、加入者無線局における電源投入時の通信パラメータの初期設定制御に関する。
【背景技術】
【０００２】
例えば、通信事業者の通信網に対して加入者端末からアクセスして通信サービスを利用する場合のシステム形態として、通信事業者の交換局等と接続された基地局の無線ゾーン内に複数の加入者無線局を配置して該基地局と各加入者無線局間で１対多つまりポイント・ツウ・マルチポイント（ＰＴＭＰ）通信を行う無線区間を設け、加入者無線局に接続された加入者端末から通信事業者の通信網へ無線によりアクセス可能にした無線通信システムが知られている。
【０００３】
この種のシステムでは、基地局で加入者無線局の動作状態を認識してその結果を通信網を介してネットワーク管理装置（ＮＭＳ）に通知することにより、該ＮＭＳにおいて無線基地局の動作状態を監視できるようになっている。
【０００４】
加入者無線局の動作状態の監視項目の中には、当然の如く、該加入者無線局の電源断も含まれる。
【０００５】
ここで、加入者無線局が一般家庭で使用される場合を想定すると、加入者が加入者無線局の電源を頻繁にオン／オフする可能性があり、かかるケースでは、加入者無線局が電源断（電源オフ）になる要因としては、加入者無線局の故障等によるものと、加入者が行なう電源断操作によるものとの２種類が存在することになる。
【０００６】
この種の従来システムでは、基地局において、加入者無線局の電源断について上述した２つの要因を区別しておらず、いずれも電源断としてＮＭＳに通知するようになっていた。
【０００７】
このため、従来システムでは、ＮＭＳで加入者無線局の電源断警報が発生した場合、この警報が加入者無線局の故障によるものか、加入者の電源断操作によるものかを区別できず、該電源断の警報があった加入者宅に異常の問合せを行なってしまうことになった。
【０００８】
なお、下記特許文献１には、計算機装置等の各種装置をローカル・エリア・ネットワーク（ＬＡＮ）により接続し、各装置が電源断とその原因を示すメッセージをＬＡＮに対してブロードキャスト通信する一方、他の装置からブロードキャスト通信されたメッセージを保持するシステムが開示されている。
【０００９】
一方、この種のシステムの加入者無線局では、電源がオンされる（電源が投入される）と、対向する基地局との間で該基地局との通信を可能にする複数項目の通信パラメータについての初期設定を行ない、該初期設定の完了後に基地局との間に回線を開いて通信を開始する機能を有している。
【００１０】
かかる機能に関し、この種の従来の加入者無線局では、電源を投入する度に、最初の初期設定項目から順に最終の初期設定項目までの初期設定を繰り返し実施する構成となっており、電源を投入（オン）してから基地局との通信を開始できるまでに長い時間（機種によっては約５分）待たされることになった。
【００１１】
特に、上述した如く、加入者無線局が一般家庭等で使用され、電源が頻繁にオン／オフされる可能性の高い使用環境においては、電源をオンにする度に、通信開始までに長時間待たされることになり、運用上、非常に煩わしかった。
【特許文献１】実願平５−４７０９号（実開平６-６６１５１号）のＣＤ−ＲＯＭ
【発明の開示】
【発明が解決しようとする課題】
【００１２】
このように、上記従来システムでは、加入者無線局は、電源が投入される度に複数の初期設定項目について最初から順番に初期設定を行なっていく構成であったため、初期設定時間が長くかかり、特に、一般家庭で使用され、加入者が頻繁に電源をオン／オフする可能性の高い加入者無線局にあっては、電源を投入する度に通信開始までに長時間待たされ、円滑な運用が阻害されるという問題点があった。
【００１３】
本発明は上記問題点を除去し、加入者無線局において、電源投入後の初期設定を短時間に行なうことができ、電源を頻繁にオン／オフする可能性の高い加入者無線局においても、電源を投入する度に通信開始までに長時間待たされることなく、円滑な運用が行なえる無線アクセスシステムを提供することを目的とする。
【課題を解決するための手段】
【００１４】
上記目的を達成するために、請求項１記載の発明は、通信網に接続される基地局と、前記基地局の無線ゾーン内に配置され、該基地局と１対多の無線通信を行なう複数の加入者無線局から成る無線アクセスシステムにおいて、前記加入者無線局は、前記基地局との通信に必要な各種通信パラメータデータをサーチ・照合ルーチンを経て順次取得して初期設定する初期設定手段と、前記初期設定されたデータを格納する格納手段と、電源投入後、前記格納手段に格納されている前回初期設定データを参照して今回の通信に適用可能か否かを各種通信パラメータ毎に判断し、適用可能な通信パラメータは、当該前回初期設定データをそのまま設定し、適用可能でない通信パラメータは、前記初期設定手段を起動し、前記サーチ・照合ルーチンにより取得されたデータを初期設定する初期設定制御手段とを具備することを特徴とする。
【００１５】
請求項２記載の発明は、上記請求項１記載の発明において、前記加入者無線局は、屋内に設置される屋内装置と屋外に設置される屋外装置とから構成され、前記初期設定手段、前記格納手段及び前記初期設定制御手段は、前記屋内装置に設けられることを特徴とする。
【発明の効果】
【００１６】
本発明によれば、加入者無線局が、電源投入後、格納されている前回初期設定データを参照して今回の通信に適用可能か否かを各種通信パラメータ毎に判断し、適用可能な通信パラメータは、当該前回初期設定データをそのまま設定し、適用可能でない通信パラメータは、通常のサーチ・照合ルーチンにより取得されたデータを初期設定するようにしたため、前回初期設定データが適用可能な場合は、通常のサーチ・照合ルーチンを省略でき、初期設定時間を短縮できる。
【発明を実施するための最良の形態】
【００１７】
以下、本発明の実施の形態について添付図面を参照して詳細に説明する。
【００１８】
図１は、本発明に係わる無線アクセスシステムの全体構成を説明するための図である。
【００１９】
図１において、既存の公衆網８１に有線または無線による通信回線８０を介して接続された基地局１０には、アンテナ１１が設けられており、この基地局１０を介して通信が可能な範囲であるゾーン１の内部には、複数の加入者無線局２０が設置されている。図１に示すように、各加入者無線局２０は、その設置場所により基地局１０との間の距離は各々異なっている。
【００２０】
ゾーン１の内部において、基地局１０と各加入者無線局２０間には、それぞれ、上り回線（加入者無線局２０から基地局１０方向）と下り回線（基地局１０から加入者無線局２０方向）が設定され、これら両回線を利用して、基地局１０と各加入者無線局２０間のポイント・ツー・マルチポイント（ＰＴＭＰ）通信が行われる。
【００２１】
また、このシステム（ＰＴＭＰシステム）において、基地局１０は通信回線８０、公衆網８１を介してネットワーク管理装置（ＮＭＳ）９０に接続される。
【００２２】
ネットワーク管理装置９０は、通信回線８０、公衆網８１を介してゾーン１内の基地局１０及び加入者無線局２０とデータ伝送を行うことにより、当該各ゾーンの動作の監視及び制御を行うものである。
【００２３】
更に、公衆網８１は、ＡＴＭ網８２、Ｉ−専用線網８３、インターネットやイントラネット等の通信網８４、フレームリレー網８５、Ｎ−ＩＳＤＮ８６等の通信網と接続されている。
【００２４】
これら各網のうちの少なくともいずれか１つには、通信事業者の交換局（図示せず）が配置され、該交換局は当該通信事業者のサービスシステム（当該通信事業者が運営する各種通信サービスに対応するデータを管理するシステム）に接続されている。
【００２５】
通信事業者が運営する上記通信サービスへの加入者は、後述する加入者端末７０から加入者無線局２０を介して該通信事業者の上記サービスシステムにアクセスすることにより当該通信サービスを利用することができる。
【００２６】
なお、図１では１つの基地局１０とこの基地局１０のゾーン１内に配置される加入者無線局２０しか開示していないが、実際のシステム構成においては、ゾーン１と同態様（１つの基地局１０と複数の加入者無線局２０がＰＴＭＰ通信を行う）から成る複数のゾーンが存在し、これらゾーンによって上述した通信サービスを提供可能なエリア全体がカバーされるようになっている。
【００２７】
図２は、図１のシステムにおける基地局１０と加入者無線局２０の概略構成及び配置態様を示す概念図である。
【００２８】
図２において、基地局１０は、アンテナ１１、第１のユニットとしてアンテナ１１に接続され、ビル等の建物の屋外に設置される屋外装置（OUTDOOR UNIT：以下、ＯＤＵという。）１２、第２のユニットとして同建物の屋内に設置される屋内装置（INDOOR UNIT：以下、ＩＤＵという。）１３、ＯＤＵ１２とＩＤＵ１３間の接続線としての同軸ケーブル１４とから構成される。
【００２９】
一方、加入者無線局２０は、アンテナ３０、第１のユニットとしてアンテナ３０に接続され例えば加入者宅の屋外に設置される屋外装置（以下、ＯＤＵという。）４０、接続線としての同軸ケーブル５０、第２のユニットとして同加入者宅の屋内に設置される屋内装置（以下、ＩＤＵという。）６０とから構成される。
【００３０】
なお、この加入者無線局２０の動作に関する以下の説明では、便宜上、アンテナ３０→ＯＤＵ４０→同軸ケーブル５０→ＩＤＵ６０の向きの信号を受信信号（下り信号）とし、逆に、ＩＤＵ６０→同軸ケーブル５０→ＯＤＵ４０→アンテナ３０の向きの信号を送信信号（上り信号）として説明する。
【００３１】
加入者無線局２０において、アンテナ３０は基地局１０との間で無線信号の送受信を行えるようにするため、該基地局１０のアンテナ１１と向き合うように方向調整を行った後、設置されている。
【００３２】
また、アンテナ３０に接続されるＯＤＵ４０は、アンテナ３０で送受信される無線周波数信号を中間周波数信号であるＩＦ信号に変換するもので、通常アンテナ３０と一体化成形されている場合が多い。そして、アンテナ３０とＯＤＵ４０は、例えば建物の屋上等にポールを立て、このポールに締結されて設置される。
【００３３】
また、ＯＤＵ４０には、同軸ケーブル５０が接続され、この同軸ケーブル５０を介して屋内に設置されるＩＤＵ６０と接続される。この同軸ケーブル５０内は、ＩＤＵ６０からＯＤＵ４０に向けて伝送される中間周波数帯の送信信号（以下、送信ＩＦ信号という。）、ＯＤＵ４０からＩＤＵ６０に向けて伝送される中間周波数帯の受信信号（以下、受信ＩＦ信号という。）、各種制御信号、及びＩＤＵ６０からＯＤＵ４０に対して供給される電源電圧が多重して伝送される。
【００３４】
また、ＩＤＵ６０には、ＬＡＮ等のネットワークを介して加入者端末７０が接続され、既存網（公衆網８１等）との通信ができるようになっている。加入者端末７０としては、電話機、ＰＣ（パーソナルコンピュータ）、各種１０Base-T端末、ＩＳＤＮ端末等の通信端末機器が用いられる。なお、ＩＤＵ６０と加入者端末７０との接続は、ＬＡＮ等を介することなく直接接続するようなものでも良い。
【００３５】
次に、加入者無線局２０の詳しい構成について各実施例毎に説明する。
【００３６】
第１の実施例：
図３は、第１の実施例に係わる加入者無線局２０Ａの詳細構成を示すブロック図である。
【００３７】
この加入者無線局２０Ａ全体は、図２の説明で述べたように、アンテナ３０が接続されたＯＤＵ４０と、このＯＤＵ４０に同軸ケーブル５０を介して接続されるＩＤＵ６０とから構成される。
【００３８】
ＯＤＵ４０の大まかな構成としては、図３に示すように、送信系、受信系、ＯＤＵ４０全体の制御を行う制御部４１から構成されている。
【００３９】
ＯＤＵ４０において、アンテナ３０との接続端は分岐され、受信用フィルタ４２１と送信用フィルタ４３４に接続されている。ここで受信用フィルタ４２１は受信信号用の無線周波数帯信号を通過し、送信信号用の無線周波数帯の信号を遮断する特性を有している。逆に、送信用フィルタ４３４は送信信号用の無線周波数帯信号を通過し、受信信号用の無線周波数帯の信号を遮断する特性を有している。
【００４０】
受信信号が通過する受信系は、受信用フィルタ４２１から受信用アンプ４２２、周波数変換部４２３、受信用可変減衰部（以下、受信用ＡＴＴという。）４２４を介してＯＤＵ多重分離部４４に接続されている。
【００４１】
一方、送信信号が通過する送信系は、上記ＯＤＵ多重分離部４４から、送信用可変減衰部（以下、送信用ＡＴＴという。）４３１、周波数変換部４３２、送信用アンプ４３３を介して、上記送信フィルタ４３４に接続されている。そして、ＯＤＵ多重分離部４４はＩＤＵ６０と接続するための同軸ケーブル５０を接続するための端子と接続されている。
【００４２】
周波数変換部４２３，４３２には、局部発振器４６１からハイブリッド回路４６２を介してローカル発振周波数が供給されている。
【００４３】
また、ＯＤＵ多重分離部４４には、ＤＣ／ＤＣコンバータ４５が接続されており、後述する方法でＩＤＵ６０から供給される電源電圧を所望の電圧に変換して、ＯＤＵ４０内の各部に供給している。
【００４４】
また、ＯＤＵ４０には制御信号用端子４６が設けられており、制御部４１に接続されている。
【００４５】
また、本実施例に係わるＯＤＵ４０では、ＯＤＵ多重分離部４４と制御部４１間に電源監視部４７と予備電源４８が設けられる。
【００４６】
また、制御部４１内には、電源断認識部４１１、電源断操作認識部４１２、電源断通知処理部４１３が設けられる。
【００４７】
電源監視部４７は、ＩＤＵ６０から同軸ケーブル５０、ＯＤＵ多重分離部４４を介して供給される電源のオン／オフを監視し、その監視結果を制御部４１の電源断認識部４１１に通知する。
【００４８】
電源断認識部４１１は、電源監視部４７から通知される監視結果に基づき電源オンなのか電源オフ（電源断）なのかを認識する。
【００４９】
電源断操作認識部４１２は、当該加入者無線局２０Ａの電源をオフにする電源断操作がなされたか否かを認識する。一例として、本実施例では、後述するように、加入者端末７０で加入者無線局２０Ａの電源断操作がなされることにより該加入者端末７０から送出され、ＯＤＵ６０を経由して転送されてくる電源断操作信号に基づき電源断操作がなされたことを認識する。
【００５０】
電源断通知処理部４１３は、電源断操作がなされたことが電源断操作認識部４１２で認識され、かつ電源断となったことが電源断認識部４１１で認識された場合に、電源断操作通知信号を生成して基地局１０に送出する。
【００５１】
予備電源４８は、加入者端末７０からの上記電源断操作信号に基づきＩＤＵ６０の制御部６５がＡＣ／ＤＣコンバータ６６から自ＩＤＵ６０各部及びＯＤＵ４０への給電を停止する制御を行なった後の当該ＯＤＵ４０内での上記電源断操作通知信号の送信に係わる制御部４１及び送信系の動作補償用電源として利用される。
【００５２】
次に、ＩＤＵ６０の構成について説明する。
【００５３】
ＩＤＵ６０において、同軸ケーブル５０に接続される端子には、ＩＤＵ６０からＯＤＵ４０へ伝送される送信ＩＦ信号と、ＯＤＵ４０からＩＤＵ６０へ伝送される受信ＩＦ信号と、電源電圧とを分離するＩＤＵ多重分離部６１が接続されている。
【００５４】
そして、受信系は、ＩＤＵ多重分離部６１から受信機６２１、Ａ／Ｄコンバータ６２２、復調／誤り訂正復号部６２３を介して端末Ｉ／Ｆ部６３に接続されている。
【００５５】
一方、送信系は、端末Ｉ／Ｆ部６３に、変調／誤り訂正符号化部６４１、周波数変換部６４２、可変減衰部６４３を介して、前記ＩＤＵ多重分離部６１に接続されている。
【００５６】
また、ＩＤＵ６０には外部電源が接続する外部電源端子６８が設けられている。この外部電源端子６８には、電源スイッチ６７を介してＡＣ／ＤＣコンバータ６６が接続される。
【００５７】
ＡＣ／ＤＣコンバータ６６は、電源スイッチ６７がオン状態（閉成状態）の時、外部電源端子６８から供給されるＡＣ電源（この例では、ＡＣ１００Ｖ）を直流に変換して所定の直流電源電圧を生成する。
【００５８】
この直流電源電圧は、ＩＤＵ６０内の各部に供給されると共に、ＩＤＵ多重分離部６１、同軸ケーブル５０を介してＯＤＵ４０にも供給される。
【００５９】
制御部６５は、ＩＤＵ６０全体の制御を行うものであり、該制御の中にはＩＤＵ６０の電源オフ制御も含まれる。このＩＤＵ６０の電源オフ制御は、例えば、加入者端末７０から端末Ｉ／Ｆ部６３を介して与えられる電源断操作信号に基づき電源スイッチ６７をオン状態（閉成状態）からオフ状態（開成状態）に切り換えることにより実現する。
【００６０】
なお、ＩＤＵ６０の電源をオンにする（電源を投入する）には、加入者端末７０から端末Ｉ／Ｆ部６３を介して電源投入操作信号を与えて電源スイッチ６７をオン状態（閉成状態）に切り換える方法があるが、この他、加入者が電源スイッチ６７を直接操作してオン状態にすることもできる。
【００６１】
次に、加入者無線局２０Ａの基本動作について説明する。
【００６２】
基地局１０から受信した無線周波数帯の受信信号は、受信用フィルタ４２１を介して、受信用アンプ４２２に入力される。この受信用アンプ４２２で所定のレベルに増幅される。
【００６３】
その後、無線周波数帯の受信信号は、周波数変換部４２３により、局部発振器４６１からハイブリッド回路４６２を介して出力される局発信号とミキシングすることにより、受信用ＩＦ信号に周波数変換され、受信用ＡＴＴ４２４に入力される。
【００６４】
ここで、受信用ＡＴＴ４２４は、制御部４１からの制御に基づくレベルに減衰するもので、このレベルを調整することにより、ＯＤＵの受信ゲインを調整することができる。受信用ＡＴＴ４２４で所望のレベルに減衰された受信ＩＦ信号は、ＯＤＵ多重分離部４４に入力される。
【００６５】
ここで、受信ＩＦ信号の周波数は、送信ＩＦ信号の周波数と帯域を異ならせている。このため、送信ＩＦ信号と多重しても、後で分離が可能となっている。また、ＩＤＵ６０から伝送されてくる電源電圧は、直流電圧であるため分離が可能となっている。
【００６６】
同軸ケーブル５０を介してＩＤＵ６０に伝送された受信ＩＦ信号は、ＩＤＵ多重分離部６１で分離され、受信部６２１に入力される。そしてＡ／Ｄコンバータ６２２でデジタル信号に変換された後、復調／誤り訂正復号部６２３で復調と誤り訂正符号の復号が行われる。
【００６７】
復調／誤り訂正復号部６２３では、基地局１０からの送信レベル制御を行うためのＴＰＣ（Transmit Power Control）制御信号が抽出され、このＴＰＣ制御信号は制御部６５へ出力される。また、復調された受信信号は、端末Ｉ／Ｆ部６３を介して、ＩＤＵ６０に接続された加入者端末７０へ出力される。
【００６８】
一方、加入者端末７０からＩＤＵ６０に入力される送信信号は、変調／誤り訂正符号化部６４１に入力され、例えばリードソロモン符号等の誤り訂正符号化が行われ、変調される。そして、周波数変換部６４２で送信用ＩＦ信号に周波数変換される。ここで、送信用のＩＦ信号は、前にも説明したように、受信用のＩＦ信号とは異なる周波数帯域になっている。
【００６９】
そして、可変減衰部６４３で、基地局１０から送信された送信レベル制御を行うためのＴＰＣ制御信号に基づいたレベルにレベル制御され、ＩＤＵ多重分離部６１に入力される。ここで、電源電圧等と多重化され、同軸ケーブル５０に入力される。
【００７０】
同軸ケーブル５０を介してＯＤＵ４０に伝送された送信ＩＦ信号は、ＯＤＵ多重分離部４４で電源電圧等と分離され、送信用ＡＴＴ４３１に入力される。
【００７１】
ここで、送信用ＡＴＴ４３１は、制御部４１からの制御に基づくレベルに減衰するもので、このレベルを調整することにより、ＯＤＵ４０の送信ゲインを調整することができる。
【００７２】
送信用ＡＴＴ４３１で所望のレベルに減衰された送信ＩＦ信号は、周波数変換部４３２に入力される。そして、送信ＩＦ信号は、周波数変換部４３２により、局部発振器４６１からハイブリッド回路４６２を介して出力される局発信号とミキシングすることにより、無線周波数帯信号に周波数変換され、送信用アンプ４３３で所定電圧に増幅された後、送信用フィルタ４３４を介して、アンテナ３０から基地局１０に対して出力される。
【００７３】
次に、加入者無線局２０Ａの電源断操作通知制御について説明する。
【００７４】
加入者無線局２０Ａでは、加入者により電源がオフ（電源断）された場合、電源断操作による電源断であることを基地局１０に通知する機能を有する。
【００７５】
まず、加入者無線局２０Ａの電源をオフにしようとする場合、加入者は、ＩＤＵ６０に接続された加入者端末７０において、電源オフ操作を行なう。
【００７６】
この電源オフ操作により、加入者端末７０では、電源断操作信号が生成され、該電源断操作信号は端末Ｉ／Ｆ部６３を介してＩＤＵ６０の制御部６５に入力される。
【００７７】
制御部６５は、上記電源断操作信号が入力されると、該電源断操作信号をＩＤＵ多重分離部６１、同軸ケーブル５０を介してＯＤＵ４０に転送する。
【００７８】
また、制御部６５は、上記電源断操作信号が入力されると、該信号に基づき電源スイッチ６７をオフ状態（開成状態）に切り換える。
【００７９】
この切り換え制御により、それまで外部電源端子６８から電源スイッチ６７を介してＡＣ／ＤＣコンバータ６６に供給されていたＡＣ電源が絶たれ、該ＡＣ／ＤＣコンバータ６６からＩＤＵ６０内各部へのＤＣ電源の供給が停止する。また、これと同時に、ＡＣ／ＤＣコンバータ６６からＩＤＵ多重分離部６１、同軸ケーブル５０を介してのＯＤＵ４０への直流電源電圧の供給も停止する。
【００８０】
一方、ＯＤＵ４０では、ＩＤＵ６０の制御部６５から転送される電源断操作信号が、ＯＤＵ多重分離部４４で分離され、制御部４１の電源断操作認識部４１１に取り込まれる。
【００８１】
ここで、電源断操作認識部４１１は、取り込まれた上記電源断操作信号に基づき当該加入者無線局２０Ａの電源断操作が実施されたことを認識する。
【００８２】
また、ＯＤＵ４０では、ＩＤＵ６０から同軸ケーブル５０を介して供給される直流電源電圧をＯＤＵ多重分離部４４で分離してＤＣ／ＤＣコンバータ４５に引き込み、所定の直流電圧に変換して各部に供給すると共に、このＤＣ／ＤＣコンバータ４５に引きこまれる直流電源電圧がオンかオフかを電源監視部４７で監視している。
【００８３】
この間、上述した加入者端末７０での電源オフ操作によりＩＤＵ６０に入力されてくる電源断操作信号に基づく制御部６５での電源スイッチ６７の切り換え制御によりＡＣ／ＤＣコンバータ６６からの直流電源電圧の供給が停止すると、ＯＤＵ４０側においてもＯＤＵ多重分離部４４からＤＣ／ＤＣコンバータ４５への直流電源電圧の引き込みが停止する。
【００８４】
電源監視部４７は、この状態を直流電源断であるとして検出し、その検出結果を制御部４１の電源断認識部４１２に送出する。電源断認識部４１２は、電源監視部４７での電源オフの監視結果を基に電源断となったことを認識する。
【００８５】
ここで、制御部４１の電源断通知処理部４１３は、電源断操作認識部４１１で“電源断の操作がなされたこと”が認識され、電源断認識部４１２で“電源断となったこと”が認識されているかどうかをチェックし、当該２つの条件を満足した場合、電源断操作通知信号を生成し、該電源断操作通知信号を送信系を介してアンテナ３０より基地局１０に送出する。
【００８６】
なお、ＯＤＵ４０において、ＩＤＵ６０からの直流電源の供給が停止し、ＤＣ／ＤＣコンバータ４５から各部への電源供給ができなくなった後は、制御部４１、電源監視回路４６及び送信系に対して予備電源４７から給電を行なって基地局１０に対する上述した電源断操作通知制御を維持する。この予備電源４８は、例えば、スーパーキャパシタ等を用いて実現できる。
【００８７】
図４は、ＯＤＵ４０の制御部４１内の電源断通知処理部４１３による電源断通知制御動作を示すフローチャートである。
【００８８】
電源断通知処理部４１３は、電源監視部４７での電源監視結果に基づき電源が断したかどうかを監視している（ステップＳ４０１）。
【００８９】
電源断が検出された場合（ステップＳ４０１ＹＥＳ）、それ以前に、当該加入者無線局２０Ａの電源断操作がなされたことが電源断操作認識部４１２により既に認識されているかどうかをチェックする（ステップＳ４０２）。
【００９０】
ここで、電源断操作が既になされていれば（ステップＳ４０２ＹＥＳ）、当該加入者無線局２０Ａが電源断操作により電源断となったことを通知するための電源断操作通知信号を生成して基地局１０に送出する（ステップＳ４０３）。
【００９１】
これに対し、電源断操作が未だなされていない場合（ステップＳ４０２ＮＯ）、故障等による異常な電源断であると判断し、その旨を通知するための異常電源断通知信号を基地局１０に送出する（ステップＳ４０４）。
【００９２】
このように、第１の実施例では、加入者無線局２０Ａで電源断操作により電源断となった場合、その旨を電源断操作通知信号により基地局１０に通知する。
【００９３】
一方、基地局１０では、加入者無線局２０Ａから上記電源断操作通知信号を受信すると、該電源断操作通知信号を公衆網８１を介してＮＭＳ９０に伝送する。
【００９４】
ＮＭＳ９０は、基地局１０から受信される上記電源断操作通知信号に基づき、該当する加入者無線局２０Ａで電源断操作により電源断がなされたものと認識し、当該認識結果が分かるような所定の態様でその旨を報知する。
【００９５】
これにより、ＮＭＳ９０では、各加入者無線局２０Ａの電源断操作による電源断を故障等に起因する電源断とは区別して認識でき、電源断操作により電源断とされた加入者無線局２０Ａを利用する加入者宅に電源断異常の問合せを行なわずに済むようになる。
【００９６】
第２の実施例：
図５は、第２の実施例に係わる加入者無線局２０Ｂの詳細構成を示すブロック図である。
【００９７】
第２の実施例に係わる加入者無線局２０Ｂは、本実施例特有の構成として、ＩＤＵ６０の制御部６５内に、初期設定部６５１、初期設定データ格納部６５２、初期設定制御部６５３を備えている。
【００９８】
それ以外の基本構成部分については、第１の実施例に係わる加入者無線局２０ＡのＯＤＵ４０から電源監視回路４７、予備電源４８、電源断認識部４１１、電源断操作認識部４１２、電源断通知処理部４１３を省いたものと同等である。また、この基本構成部分による動作も第１の実施例に係わる加入者無線局２０Ａの該当部分による動作と同等である。
【００９９】
第２の実施例に係わる加入者無線局２０Ｂは、電源投入後、基地局１０との通信開始前に、当該基地局１０との通信を可能にする通信パラメータ等のデータの初期設定処理に特徴を有するものである。
【０１００】
すなわち、第２の実施例に係わる加入者無線局２０Ｂでは、前回の初期設定時に設定された通信パラメータ等のデータを格納しておき、電源が投入された場合、格納しておいた前回初期設定データ（以下、前データという）を参照して今回の通信にも適用可能かどうかを判断し、適用可能でないと判断された場合にのみ後述する通常のサーチ・照合ルーチンを経て適用可能なデータを取得し、初期設定するようにしたものである。
【０１０１】
図５に示す構成において、ＩＤＵ６０の制御部６５内に設けられる初期設定部６５１は、基地局１０との通信に必要な各種通信パラメータ等のデータを後述する通常のサーチ・照合ルーチンを経て順次取得して初期設定する手段である。
【０１０２】
初期設定データ格納部６５２は、前回の初期設定時に設定された通信パラメータ等のデータ（前データ）を格納する手段である。
【０１０３】
初期設定制御部６５３は、電源投入後、初期設定データ格納部６５２に格納されている前データを参照して今回の通信にも適用可能か否かを判断し、前データが適用可能であれば当該前データをそのまま設定し、適用可能でない場合は、初期設定部６５１を起動し、該初期設定部６１での通常のサーチ・照合ルーチンにより取得されたデータを初期設定する制御を行なう手段である。
【０１０４】
次に、本実施例に係わる加入者無線局２０Ｂの初期設定動作について、図６に示すフローチャートを参照して説明する。
【０１０５】
なお、図６において、ステップＳ６１０に示す“通常のサーチ・照合ルーチン”は、この種の装置で従来一般に行われている初期設定処理ルーチンに相当するものである。
【０１０６】
本実施例に係わる加入者無線局２０Ｂでは、この通常のサーチ・照合ルーチンを、前データが適用できないと判断された場合しか行なわないが、ここでは、説明の便宜上、当該加入者無線局２０Ｂを使って従来一般的な通常のサーチ・照合ルーチンについて先に説明する。
【０１０７】
まず、加入者無線局２０Ｂにおいて、加入者によりＩＤＵ６０の電源スイッチ６７を電源オンの状態にする操作がなされると、電源端子６８からＡＣ／ＤＣコンバータ６６にＡＣ電源が供給され、ＡＣ／ＤＣコンバータ６６ではこのＡＣ電源が直流電源電圧に変換されて当該ＩＤＵ６０内の各部に供給される。
【０１０８】
また、ＩＤＵ６０のＡＣ／ＤＣコンバータ６６からの直流電源電圧はＩＤＵ多重分離部６１、同軸ケーブル５０、ＯＤＵ多重分離部４４を介してＯＤＵ４０のＤＣ／ＤＣコンバータ４５に供給され、該ＤＣ／ＤＣコンバータ４５で所定の電圧に変換されてＯＤＵ４０の各部に供給される。
【０１０９】
以上の如くに電源投入がなされ、当該加入者無線局２０Ｂ（ＩＤＵ６０及びＯＤＵ４０）が動作可能になると、ＩＤＵ６０の制御部６５（初期設定部６５１）は、基地局１０からの電波を受信可能な状態を確立すべく、ダウンストリーム設定処理を実施する。
【０１１０】
このダウンストリーム設定処理において、初期設定部６５１は、（１）受信周波数のサーチ、（２）周波数帯域幅の照合、（３）変調方式の照合といった一連の処理を順次に実施し、これらサーチ及び照合結果に基づき基地局１０との通信に適用可能な各データ（受信周波数、周波数帯域幅、変調方式）の設定を行なう。
【０１１１】
具体的には、受信周波数については、受信系の周波数変換部４２３の周波数（ｃｈ：チャネル）を順に代えて受信動作させるといった方法で、１チャネルからｎチャネルまで順次サーチしていき、復調／誤り訂正復号部６２３で信号が受信できたチャネルを受信周波数として設定する。
【０１１２】
また、周波数帯域幅の照合並びに変調方式の照合は、上記設定チャネルで受信された信号を監視することにより周波数帯域幅及び変調方式を特定して設定する。
【０１１３】
上記ダウンストリーム設定処理により上記各データ設定が完了し、基地局１０からの電波を正常に受信できるようになると、次に、初期設定部６５１は、アップストリーム設定処理に移る。
【０１１４】
このアップストリーム設定処理において、初期設定部６５１は、基地局１０への送信電波に関する通信パラメータとして、例えば、（４）送信周波数、（５）スパン等価アッテネータ値（基地局１０との伝播距離の違いにより生ずる伝播損を各加入者無線局２０Ｂ毎に同等レベルに保つための値）、（６）ケーブル等価アッテネータ値（ＯＤＵ６０とＩＤＵ４０とを接続する同軸ケーブル５０の長さに違いによって生じるケーブル損を各加入者無線局２０Ｂ毎に同等レベルに保つための値）、（７）送信出力電力の設定処理を順次実施する。
【０１１５】
なお、これら（４）〜（７）等の各パラメータの設定処理は、基地局１０からの受信電波に含まれる設定情報に基づいて行なわれる。
【０１１６】
具体的には、送信周波数については、上記設定チャネルの下で復調／誤り訂正復号部６２３で受信された信号に含まれる該当設定情報に基づき、送信系の周波数変換部４３２の周波数を可変設定する。
【０１１７】
同様に、スパン等価アッテネータ値及びケーブル等価アッテネータ値については、上記受信信号に含まれる該当設定情報に基づき、受信用ＡＴＴ４２４並びに送信用ＡＴＴ４３１の減衰レベルをそれぞれ所定の受信ゲイン並びに送信ゲインが得られるように調整する。
【０１１８】
同じく、送信出力電力については、上記受信信号に含まれる該当設定情報に基づき、送信用アンプ４３３の利得を調整する。
【０１１９】
上記ダウンストリーム設定処理及びアップストリーム設定処理を経て受信及び送信に必要なデータ並びに通信パラメータの初期設定が全て完了すると、基地局１０との間の回線が確立され、上記初期設定されたデータ並びに通信パラメータに従って基地局１０との間の通信が開始される。
【０１２０】
以上、本実施例の加入者無線局２０Ｂを使って説明したように、この種の従来一般的な加入者無線局２０では、電源が投入される度に、上記一連のダウンストリーム設定処理並びにアップストリーム設定処理を行なって例えば（１）〜（７）の各初期設定項目データを最初から順番に設定しなくてはならず、通信開始までに長い時間（例えば、約５分）待たされることになった。
【０１２１】
これに対して、第２の実施例に係わる加入者無線局２０Ｂの実際の動作では、前回の初期設定時に設定された通信パラメータ等のデータをＩＤＵ６０の制御部６５内の初期設定データ格納部６５２に格納しておき、電源が投入された場合、同制御部６５内の初期設定制御部６５３が、初期設定データ格納部６５２に格納されているデータ（前データ）を参照して今回の通信にも適用可能かどうかを判断し、適用可能でないと判断された場合にのみ上述した通常のサーチ・照合ルーチンを経て適用可能なデータを取得し、初期設定するように制御する。
【０１２２】
ここで、再び、図６に戻り、第２の実施例に係わる加入者無線局２０Ｂにおける通信パラメータの初期設定動作について説明する。
【０１２３】
この加入者無線局２０Ｂにおいて、ＩＤＵ６０の制御部６５（初期設定制御部６５３）は、上述した手順でＩＤＵ６０の電源が投入されたか否かを監視している（ステップＳ６０１）。
【０１２４】
ここで、電源が投入されたことが認識されると（ステップＳ６０１ＹＥＳ）、初期設定制御部６５３は、初期設定制御を開始する。ここでは、まず、最初の初期設定項目を選定し（ステップＳ６０２）、該初期設定項目について初期設定データ格納部６５２に格納されている前データを参照する（ステップＳ６０３）。
【０１２５】
次に、初期設定制御部６５３は、この参照した前データを設定し（ステップＳ６０４）、この前データが今回の通信パラメータとしても適用可能であるかどうかを判定する（ステップＳ６０５）。
【０１２６】
ここで、前データが適用可能であれば（ステップＳ６０５ＹＥＳ）、次いで初期設定制御部６５３は、初期設定項目が全て終了したかどうかをチェックする（ステップＳ６０６）。
【０１２７】
そして、初期設定項目が全て終了していない場合（ステップＳ６０６ＮＯ）は、次の初期設定項目を選定したうえで（ステップＳ６０８）、当該初期設定項目について初期設定データ格納部６５２に格納されている前データを参照する（ステップＳ６０３）。
【０１２８】
更に、この参照した前データを設定し（ステップＳ６０４）、この前データが今回の通信パラメータとしても適用可能であるかどうかを判定する（ステップＳ６０５）。
【０１２９】
ここで、前データが適用可能であれば（ステップＳ６０５ＹＥＳ）、上述したステップＳ６０６以降の処理を続ける。
【０１３０】
一方、前データが適用可能でない場合（ステップＳ６０５ＮＯ）、初期設定制御部６５３は、初期設定部６５１を起動して当該初期設定項目についての通常のサーチ・照合ルーチンを実行させる（ステップＳ６１０）。
【０１３１】
そして、当該サーチ・照合ルーチンで取得されたデータ（通信パラメータ）を初期設定したうえで（ステップＳ６１１）、ステップＳ６０６の処理に戻る。
【０１３２】
なお、ステップＳ６１１でデータを初期設定した場合には、当該初期設定したデータを初期設定データ格納部６５２に格納する処理も併せて行なう。
【０１３３】
その後、初期設定制御部６５３は、初期設定項目が終了していないと判断される間（ステップＳ６０６ＮＯ）、ステップＳ６０８→Ｓ６０３〜Ｓ６０５→Ｓ６０６若しくはステップＳ６０８→Ｓ６０３〜Ｓ６０５→Ｓ６１０→Ｓ６１１→Ｓ６０６の処理を繰り返し実施し、初期設定項目が全て終了した場合（ステップＳ６０６ＹＥＳ）、それまでに設定されたデータ（通信パラメータ）を用いて基地局１０との通信開始する（ステップＳ６０７）。
【０１３４】
この第２の実施例に係わる初期設定制御によれば、電源投入後、前回の初期設定時に初期設定データ格納部６５２に格納された各初期設定項目毎の前データを参照して今回の通信パラメータとして適用できるかどうかを判断し、適用可能でない場合のみ初期設定部６５１での通常のサーチ・照合ルーチンを経て取得されたデータを設定するようにしているため、前データが適用できる場合は、当該初期設定項目についての通常のサーチ・照合ルーチン（図６におけるステップＳ６１０，Ｓ６１１（図中、点線で示す部分））を省略できる。
【０１３５】
一例を挙げると、受信周波数については、前回の初期設定で設定された例えば３チャネルを設定して、これが適用可能な場合には、そのまま次の初期設定項目の設定へと進むことができ、１チャネルからｎチャネルまで順次サーチしていくといった煩雑さがなくなる。
【０１３６】
ここで、本実施例の加入者無線局２０Ｂは一般家庭向けのものを想定しており、その運用形態を考えると、加入者が節電等を目的として、加入者端末７０から通信サービスを利用する期間だけ加入者無線局２０Ｂの電源を投入する場合が想定される。
【０１３７】
この場合には、システム構成、設置環境条件のいずれも変化していない訳であるから、殆どの初期設定項目で前データが適用可能となり、これら初期設定項目分の通常のサーチ・照合ルーチンを省略して初期設定時間を大幅に短縮できる。
【０１３８】
従って、上記目的に沿って、加入者が加入者無線局２０Ｂの電源の入り切り（オン／オフ）を頻繁に行なう運用環境においても、電源投入（電源オン）の度に、通信開始までに数分間も待たされるといった煩わしさを解消できる。
【０１３９】
また、移設等、設置環境条件が変化した加入者無線局２０Ｂでは、前回設定されたデータ（前データ）は適用できなくなり、通常のサーチ・照合ルーチンが増える可能性が高いものの、適用できる前データが１つでも存在する限り、その分の初期設定時間の短縮効果が見込める。
【０１４０】
この他、本発明は、上記し、且つ図面に示す実施例に限定することなく、その要旨を変更しない範囲内で適宜変形して実施できるものである。
【０１４１】
例えば、第１の実施例において、電源断操作を認識する方法は、加入者端末７０で電源断操作を行ない、この操作により加入者端末７０から送られてくる電源断操作信号に基づき認識する方法に限らず、ＩＤＵ６０で電源スイッチ６７がオフ操作されたことを検出してＯＤＵ４０に通知する等、他の適宜な方法でも良い。
【０１４２】
また、上記の説明では、第１の実施例に係わる電源断操作通知機能と、第２の実施例に係わる初期設定制御機能とを別々に持つ加入者無線局の構成について述べたが、これら電源断操作通知機能と初期設定制御機能とを併有する構成としても良い。
【産業上の利用可能性】
【０１４３】
本発明は、通信網に接続される基地局と、前記基地局の無線ゾーン内に配置され、該基地局と１対多の無線通信を行なう複数の加入者無線局から成る無線アクセスシステムに適用できる。
【図面の簡単な説明】
【０１４４】
【図１】本発明に係わる無線アクセスシステムシステムの全体構成を説明するための図。
【図２】図１のシステムの基地局と加入者無線局の概略構成及び配置態様を示す概念図。
【図３】第１の実施例に係わる加入者無線局の詳細構成を示すブロック図。
【図４】第１の実施例に係わる加入者無線局の電源断通知制御を示すフローチャート。
【図５】第２の実施例に係わる加入者無線局の詳細構成を示すブロック図。
【図６】第２の実施例に係わる加入者無線局の初期設定動作を示すフローチャート。
【符号の説明】
【０１４５】
１  ゾーン
１０  基地局
１１  アンテナ
１２  屋外装置（ＯＤＵ）
１３  屋内装置（ＩＤＵ）
１４  同軸ケーブル
２０，２０Ａ，２０Ｂ  加入者無線局
３０  アンテナ
４０  屋外装置（ＯＤＵ）
４１  制御部
４１１  電源断認識部
４１２  電断操作認識部
４１３  電源断通知処理部
４２１  受信用フィルタ
４２２  受信用アンプ
４２３  周波数変換部
４２４  受信用可変減衰部（受信用ＡＴＴ）
４３１  送信用可変減衰部（送信用ＡＴＴ）
４３２  周波数変換部
４３３  送信用アンプ
４３４  送信フィルタ
４４  ＯＤＵ多重分離部
４５  ＤＣ／ＤＣコンバータ
４６  制御信号用端子
４６１  局部発振器
４６２  ハイブリッド回路
４７  電源監視部
４８  予備電源
５０  同軸ケーブル
６０  屋内装置（ＩＤＵ）
６１  ＩＤＵ多重分離部
６２１  受信機
６２２  Ａ／Ｄコンバータ
６２３  復調／誤り訂正復号部
６３  端末Ｉ／Ｆ部
６４１  変調／誤り訂正符号化部
６４２  周波数変換部
６４３  可変減衰部
６５  制御部
６５１  初期設定部
６５２  初期設定データ格納部
６５３  初期設定制御部
６６  ＡＣ／ＤＣコンバータ
６７  電源スイッチ
６８  外部電源端子
７０  加入者端末
８０  通信回線
８１  公衆網
８２  ＡＴＭ網
８３  Ｉ−専用線網
８４  インターネットやイントラネット等の通信網
８５  フレームリレー網
８６  Ｎ−ＩＳＤＮ
９０  ネットワーク管理装置（ＮＭＳ）
【図１】
0004459216.tif 000002
【図２】
0004459216.tif 000003
【図３】
0004459216.tif 000004
【図４】
0004459216.tif 000005
【図５】
0004459216.tif 000006
【図６】
0004459216.tif 000007